(57)【要約】【目的】  本発明の目的は、害虫以外の虫の侵入を低減することができる害虫検出装置を提供する。【構成】  第１のハウジング１１０の第１の本体部１１１の長さ方向の両側壁部の中央部には、当該第１の本体部１１１の内部に白蟻を侵入させるための第１の開口１１１ｂが設けられている。この第１の本体部１１１の長さ方向の両側壁部の内側部には、一対の内壁部１１１ｃが各々設けられている。この一対の内壁部１１１ｃと、第１の本体部１１１の側壁部との間の空間に、プレート１１１ｅが収容される。このプレート１１１ｅは、白蟻が浸食可能な素材であり且つ白蟻の餌材となる発泡スチロールで構成されている。【選択図】      図２
2007244243.tif 000002
【特許請求の範囲】
【請求項１】
外部から対象生物を視認可能とするために、第１のハウジングに透明部が設けられた生物検出装置において、前記第１のハウジングの少なくとも一部が、対象生物により浸食可能な素材で構成されていることを特徴とする生物検出装置。
【請求項２】
請求項１記載の生物検出装置において、前記透明部に略平行に配置される板状体であって、対象生物により浸食可能な素材で構成されたステージを有し、このステージの厚さ寸法が対象生物の体高に０．５〜５ｍｍを加算した寸法となっていることを特徴とする生物検出装置。
【請求項３】
請求項２記載の生物検出装置において、前記第１のハウジング内には、第１の餌材が収容されており、前記ステージは前記第１の餌材よりも柔らかい素材で構成されていることを特徴とする生物検出装置。
【請求項４】
請求項３記載の生物検出装置において、前記第１の餌材には、前記ステージに向けてスリットが設けられていることを特徴とする生物検出装置。
【請求項５】
請求項２記載の生物検出装置において、前記透明部と前記ステージとが一体化されていることを特徴とする生物検出装置。
【請求項６】
請求項２記載の生物検出装置において、前記透明部を覆う蓋体を有することを特徴とする生物検出装置。
【請求項７】
地中に埋設される請求項２記載の生物検出装置において、前記第１のハウジングには、内部同士が連通する第２のハウジングが設けられており、この第２のハウジングは、前記第１のハウジングよりも背高であり且つ細い筒状体であって、その外面に対象生物を侵入させるための侵入口が設けられていることを特徴とする生物検出装置。
【請求項８】
地中に埋設される請求項２記載の生物検出装置において、前記第１のハウジングには、内部同士が連通する第２のハウジングが設けられており、この第２のハウジングは、前記第１のハウジングよりも背高であり且つ細い筒状体であって、少なくとも一部が対象生物により浸食可能な素材で構成されていることを特徴とする生物検出装置。
【請求項９】
請求項７又は８記載の生物検出装置において、前記第２のハウジングには、柱状又は筒状の第２の餌材が収容されるようになっていることを特徴とする生物検出装置。
【請求項１０】
請求項９記載の生物検出装置において、前記第２のハウジングには、対象生物を検出するための検出手段が設けられており、
この検出手段は、前記第２のハウジングの透明部又は開口部を通じて外部から視認可能とされた露出部を有したベース部と、このベース部に設けられており且つ前記第２の餌材上に設置された初期位置から当該第２の餌材の傾き又は落下により下方位置にかけて移動可能な移動体とを有し、
この移動体には、当該移動体が初期位置から下方位置にかけて移動することにより、前記ベース部の露出部の外側位置から当該ベース部の露出部上に位置変位する目印部が設けられていることを特徴とする生物検出装置。
【請求項１１】
請求項１０記載の生物検出装置において、前記検出手段は、前記ベース部と前記移動体との間に介在する付勢手段を有し、この付勢手段は、前記移動体が前記第２の餌材上に設置されることにより圧縮され、当該移動体を下方向に向けて付勢するようになっていることを特徴とする生物検出装置。
【請求項１２】
請求項１０又は１１記載の生物検出装置において、第２の餌材は、対象生物の食害により傾く又は落下し易くするために、一部が他の部分より脆弱化されていることを特徴とする生物検出装置。
【請求項１３】
請求項１又は８記載の生物検出装置において、対象生物により浸食可能な素材は対象生物の餌材であることを特徴とする生物検出装置。
【発明の詳細な説明】
【技術分野】
【０００１】
本発明は白蟻等の対象生物を検出する生物検出装置に関する。
【背景技術】
【０００２】
この種の生物検出装置としては、透明なハウジングに白蟻等の対象生物が侵入可能な侵入路を設け、当該ハウジングの内部に前記侵入路を通じて侵入した対象生物を外部から視認可能としたものがある( 特許文献１参照) 。
【０００３】
【特許文献１】特開２００４−１１３１０３号公報
【発明の開示】
【発明が解決しようとする課題】
【０００４】
ところが、前記生物検出装置は侵入路から対象生物以外の虫が侵入することがある。このため、外部から対象生物の存在を確認し難く、誤検出の原因となる場合がある。特に、使用者が対象生物の専門知識を有していない場合、対象生物とその他の虫とを判別することは非常に困難であり、誤検出の可能性が上昇する。例えば、対象生物が白蟻である場合、白蟻以外の蟻が前記ハウジング内に侵入すると、その判別が非常に困難となる。
【０００５】
本発明は、上記事情に鑑みて創案されたものであって、その目的とするところは、対象生物以外の虫の侵入を低減することができる生物検出装置を提供することにある。
【課題を解決するための手段】
【０００６】
上記課題を解決するために、本発明の生物検出装置は、外部から対象生物を視認可能とするために、第１のハウジングに透明部が設けられた生物検出装置であって、前記第１のハウジングの少なくとも一部が、対象生物により浸食可能な素材で構成されている。
【０００７】
前記生物検出装置は、前記透明部に略平行に配置される板状体であって、対象生物により浸食可能な素材で構成されたステージを有した構成とすることができる。この場合、前記ステージの厚さ寸法が対象生物の体高に０．５〜５ｍｍを加算した寸法となっている。
【０００８】
前記第１のハウジング内には、第１の餌材を収容することができる。この場合、前記ステージは前記第１の餌材よりも柔らかい素材で構成されていることが好ましい。
【０００９】
第１の餌材には、前記ステージに向けてスリットが設けられていることが好ましい。
【００１０】
前記透明部と前記ステージとは一体化することができる。
【００１１】
前記生物検出装置は、透明部を覆う蓋体を有した構成とすることができる。
【００１２】
前記生物検出装置は地中に埋設して使用することができる。この場合、前記第１のハウジングには、内部同士が連通する第２のハウジングが設けられており、この第２のハウジングは、前記第１のハウジングよりも背高であり且つ細い筒状体であって、その外面に対象生物を侵入させるための侵入口が設けられている。
【００１３】
或いは、前記侵入口の代わりに前記第２のハウジングの少なくとも一部を対象生物により浸食可能な素材で構成することができる。
【００１４】
前記第２のハウジングには、柱状又は筒状の第２の餌材が収容されるようになっている。
【００１５】
前記第２のハウジングには、対象生物を検出するための検出手段を設けることができる。この検出手段は、前記第２のハウジングの透明部又は開口部を通じて外部から視認可能とされた露出部を有したベース部と、このベース部に設けられており且つ前記第２の餌材上に設置された初期位置から当該第２の餌材の傾き又は落下により下方位置にかけて移動可能な移動体とを有した構成となっている。この移動体には、当該移動体が初期位置から下方位置にかけて移動することにより、前記ベース部の露出部の外側位置から当該ベース部の露出部上に位置変位する目印部が設けられている。
【００１６】
前記検出手段は、前記ベース部と前記移動体との間に介在する付勢手段を有し、この付勢手段は、前記移動体が前記第２の餌材上に設置されることにより圧縮され、当該移動体を下方向に向けて付勢するようになっている。
【００１７】
第２の餌材は、対象生物の食害により傾く又は落下し易くするために、一部を他の部分よりも脆弱化していることが好ましい。
【００１８】
対象生物により浸食可能な素材は対象生物の餌材とすることができる。
【発明の効果】
【００１９】
本発明の請求項１に係る生物検出装置による場合、第１のハウジングの少なくとも一部が、対象生物により浸食可能な素材で構成されている。このため、対象生物は前記第１のハウジングの浸食可能な素材で構成された部分を浸食し、当該第１のハウジングの内部に侵入する。一方、対象生物等の虫は、前記第１のハウジングに侵入する侵入路がないので、従来例と比べて前記第１のハウジング内部に侵入し難くなる。特に、対象生物が白蟻である場合、第１のハウジングの一部を浸食することにより形成された孔は蟻土で塞がれるので、この特性を生かし、更に他の虫を侵入し難くすることができる。このため、前記第１のハウジングの内に侵入した他の虫を対象生物と誤って誤検出するのを防止することができ、且つ対象生物が視認により発見し易くなる。
【００２０】
本発明の請求項２に係る生物検出装置による場合、透明部に略平行に配置された板状体であって、対象生物により浸食可能なステージを有する。このステージの厚さ寸法は、対象生物の体高に０．５〜５ｍｍを加算した寸法となっている。このため、前記ステージには、対象生物の浸食による全ての痕跡が透明部を通じて視認可能に形成されるので、対象生物が視認により更に発見し易くなり、初期段階での発見も可能になる。
【００２１】
本発明の請求項３に係る生物検出装置による場合、ステージが対象生物により浸食され易くするために、第１の餌材よりも柔らかい素材で構成されているので、第１の餌材により慰留された対象生物が前記ステージに浸食し易くなる。即ち、ステージが浸食される可能性が高くなるので、更に対象生物を発見し易くなる。
【００２２】
本発明の請求項４に係る生物検出装置による場合、第１の餌材にはステージに向けてスリットが設けられている。このため、第１の餌材により慰留された対象生物が、前記スリットを通って前記ステージに容易に到達することが可能になる。即ち、ステージが浸食される可能性が高くなるので、更に対象生物を発見し易くなる。
【００２３】
本発明の請求項５に係る生物検出装置による場合、前記透明部と前記ステージとが一体化されているので、部品点数を低減することができ、低コスト化を図ることができる。
【００２４】
本発明の請求項６に係る生物検出装置による場合、透明部を覆う蓋体を有しているので、透明部が使用者に踏まれて割れたり、汚れたりするのを防止することができる。
【００２５】
本発明の請求項７及び８に係る生物検出装置による場合、前記第１のハウジングには、内部同士が連通する第２のハウジングが設けられている。この第２のハウジングは、前記第１のハウジングよりも背高であり且つ細い筒状体である。このため、当該生物検出装置を地中に埋めるに当たっては、第１のハウジング用の浅く大きな穴を開ける一方、第２のハウジング用の深く小さな穴を開けるようにすれば良いことから、浅層及び深層の対象生物を検出するために大きく且つ背高なハウジングを有する生物検出装置を埋める穴( 即ち、大きく深い穴) を掘る場合と比べて簡単に掘ることができる。よって、当該生物検出装置は設置し易いという効果を奏する。
【００２６】
本発明の請求項９に係る生物検出装置による場合、第２のハウジングには、柱状又は筒状の第２の餌材が収容される。このため、深層の対象生物を慰留し易くなる。
【００２７】
本発明の請求項１０に係る生物検出装置による場合、検出手段の移動体が、餌材の傾き又は落下により初期位置から下方位置にかけて移動することにより、当該移動体に設けられた目印部がベース部の露出部の外側位置から当該ベース部の露出部上に位置変位するようになっている。このため、点検者が第２のハウジングの外部からベース部の露出部上のシート部材の目印部を当該第２のハウジングの透明部又は開口部を通じて視認することにより、対象生物を容易に検出することができる。このように前記検出手段は、電力を必要としない構成となっているので、電力が必要なスイッチ手段等と比べてメンテナンスが容易であるという効果を奏する。
【００２８】
本発明の請求項１１に係る生物検出装置による場合、対象生物に食されることにより第２の餌材が傾く又は落下すると、移動体が付勢手段の付勢力により下方向に移動することになる。このため、移動体を移動させ易くすることができるので、対象生物の検出精度を向上させることができ、初期段階で対象生物を発見することができる。
【００２９】
本発明の請求項１２に係る生物検出装置による場合、第２の餌材の一部が他の部分よりも脆弱化されているので、当該第２の餌材が対象生物の食害により倒れたり落下したりし易くなる。即ち、検出手段が作動し易くなるので、対象生物の検出精度を向上させることができ、初期段階で対象生物を発見することができる。
【００３０】
本発明の請求項１３に係る生物検出装置による場合、対象生物により浸食可能な素材が対象生物の餌材となっているので、対象生物を慰留し易くなる。
【発明を実施するための最良の形態】
【００３１】
以下、本発明の実施の形態に係る生物検出装置について説明する。
【実施例１】
【００３２】
まず、本発明の第１の実施の形態に係る生物検出装置について図面を参照しながら説明する。図１は本発明の第１の実施の形態に係る生物検出装置の概略的斜視図、図２は同装置の概略的断面図、図３は同装置の浅層検出部の第１のハウジングの第１の本体部を示す概略図であって、( ａ) が平面図、( ｂ）が縦断面図、図４は同装置の浅層検出部の第１のハウジングの蓋体を示す概略図であって、( ａ) が底面図、( ｂ）が縦断面図、図５は同装置の浅層検出部の第１の餌材の概略的斜視図、図６は同装置の深層検出部の第２のハウジングを示す概略図であって、( ａ) が側面図、( ｂ）が縦断面図、図７は図２のα部分の取付部を取り除いた模式的拡大図であって、( ａ) が検出手段の移動体の移動体本体が初期位置に位置した状態を示す図、( ｂ）が検出手段の移動体の移動体本体が下方位置に位置した状態を示す図、図８は同装置の検出手段の概略的斜視図であって、( ａ) が検出手段の移動体の移動体本体が初期位置に位置した状態を示す図、( ｂ）が検出手段の移動体の移動体本体が下方位置に位置した状態を示す図、図９は同装置の深層検出部の第２の餌材を示す模式的側面図であって、( ａ) が中間部を細くした例を示す図、( ｂ）が下端部を先鋭化した例を示す図、( ｃ) が木材の間に紙材又は発泡スチロールを介在させた例を示す図、( ｄ）が木材の下に紙材又は発泡スチロールを介在させた例を示す図、図１０は同装置の深層検出部の中蓋を取り外すための治具を示す図であって、( ａ) が正面図、( ｂ) が側面図である。
【００３３】
図１に示す生物検出装置は、図示しない家屋の近傍の地中に埋められ、その地中に存在する白蟻( 対象生物) を検出するものであって、地中の浅層の白蟻を検出するための浅層検出部１００と、地中の深層の白蟻を検出するための深層検出部２００とを備えている。以下、各部を詳しく説明する。
【００３４】
浅層検出部１００は、図２に示すように、第１のハウジング１１０と、この第１のハウジング１１０に収容される一対の第１の餌材１２０及び透明部１３０と、透明部１３０に面接触した状態で配置されるステージ１４０とを有した構成となっている。
【００３５】
第１のハウジング１１０は、上面開口の箱体である第１の本体部１１１と、この第１の本体部１１１の長さ方向の図示左側の側壁部の上端部に一体的に設けられた略円筒状の取付部１１２と、第１の本体部１１１の開口を開閉可能とした蓋体１１３と、第１の本体部１１１の内部と取付部１１２の内部とを連通する連通部１１４とを有する。
【００３６】
第１の本体部１１１は、図２及び図３に示すように、側面視がホームベースの先端部をカットした形状の箱体であって、深さ１００〜１２０ｍｍ、直径１４０〜１６０ｍｍの穴に埋めることができる程度の大きさとなっている。ここでは、第１の本体部１１１の高さ寸法を１００ｍｍ、長さ寸法を１３３、幅寸法を４３ｍｍとしている。
【００３７】
この第１の本体部１１１の長さ方向の図示右側の側壁部の上端部には、蓋体１１３と賓辞結合するためのヒンジ軸１１１ａが設けられている。また、第１の本体部１１１の長さ方向の両側壁部の中央部には、当該第１の本体部１１１の内部に白蟻を侵入させるための第１の開口１１１ｂが設けられている。更に、第１の本体部１１１の長さ方向の両側壁部の内側部には、一対の内壁部１１１ｃが各々設けられている。この一対の内壁部１１１ｃと、第１の本体部１１１の側壁部との間の空間に、図２に示すように、後述するプレート１１１ｅが収容される。
【００３８】
この第１の本体部１１１には、内部を２つのセクションに仕切るための仕切板１１１ｄが設けられている。仕切板１１１ｄには、前記２つのセクションを連通させるための開口１１１ｄ１が設けられている。この２つのセクションには、第１の餌材１２０が各々収容される。また、第１の本体部１１１の幅方向の外壁面には、図１に示すように、複数の突脈１１１ｆが長さ方向に向けて設けられている。この突脈１１１ｆは第１の本体部１１１を地中に埋めた際に、当該第１の本体部１１１の浮き上がりを防止するためのものである。
【００３９】
このプレート１１１ｅは、白蟻が浸食可能な素材であり且つ白蟻の餌材となる発泡スチロールで構成されている。このプレート１１１ｅは、第１の本体部１１１の長さ方向の両側壁部の形状に応じて略く字状に折れ曲がっている。このプレート１１１ｅは、第１の本体部１１１の側壁部と、一対の内壁部１１１ｃとの間の空間に収容され、第１の本体部１１１の側壁部の第１の開口部１１１ｂ及び一対の内壁部１１１ｃの間の開口を塞ぐことにより、第１の本体部１１１の側壁部の一部をなす。
【００４０】
取付部１１２は、図２及び図３に示すように、深層検出部２００の第２のハウジング２１０を取り付けるための取付孔１１２ａを有した円筒体である。この取付部１１２の上端部の外側部には、蓋体１１３を閉状態で係止するための突起部１１２ｂが設けられている。
【００４１】
取付孔１１２ａは断面視逆凸字状の貫通孔であり、下側部の径が上側部の径よりも小さくなっている。この取付孔１１２ａの上側部の内周面にはネジ溝１１２ａ１が形成されている。また、取付孔１１２ａの下側部の上縁部には、円筒部１１２ａ２が設けられている。
【００４２】
連通部１１４は、図２及び図３に示すように、第１の本体部１１１の長さ方向の図示左側の側壁部と、取付部１１２との間に設けられた一対の板体であって、その間の空間により、第１の本体部１１１の第１の開口１１１ｂと取付部１１２の取付孔１１２ａの下側部とを連通させるようになっている。この連通部１１４は、深層検出部２００の第２のハウジング２１０から侵入した白蟻を第１の本体部１１１に導く一方、第１の本体部１１１に侵入した白蟻を深層検出部２００の第２のハウジング２１０に導く誘導路となる。また、連通部１１４は、下端面が開放されているので、白蟻の侵入口ともなる。
【００４３】
蓋体１１３は、図２及び図４に示すように、矩形状の部材であって、長さ方向の図示右側の端部には、第１の本体部１１１のヒンジ軸１１１ａに係合される一対のフック部１１３ａが設けられている。即ち、一対のフック部１１３ａがヒンジ軸１１１ａの両端部に係合されることにより、蓋体１１３が第１の本体部１１１に賓辞結合される。この蓋体１１３の長さ方向の図示左側の端部には、取付部１１２の突起部１１２ｂに係止される係止爪１１３ｂが設けられている。また、蓋体１１３の面上の長さ方向の図示左側部位には、取付部１１２の取付孔１１２ａと連通する孔部１１３ｃが設けられている。更に、蓋体１１３の上面の孔部１１３ｃの縁部には、図１に示すように、印部１１３ｄが付されている。
【００４４】
第１の餌材１２０は、図５に示すように、直方体の一端側の下端部を傾斜させた形状の木材であって、白蟻を慰留するための慰留剤が塗布されている。第１の餌材１２０の一端部には、高さ方向に向けたスリット１２１が設けられている。このスリット１２１は第１の餌材１２０で慰留した白蟻をステージ１４０へと導く誘導路となる。
【００４５】
ステージ１４０は、図２に示すように、白蟻により浸食され易くするために、第１の餌材１２０よりも柔らかい( 即ち、強度の低い) 素材で構成された薄板である。このステージ１４０の厚さ寸法は、白蟻に浸食された全ての痕跡が透明部１３０を通じて視認可能に形成されるように、白蟻の体高＋０．５〜５ｍｍとなっている。ここでは、ステージ１４０として厚さ３ｍｍの発泡スチロール板を用いる。このステージ１４０は、第１の本体部１１１の仕切板１１１ｄ及び収容部１１１ｃの上面に載置される。
【００４６】
透明部１３０は、図２に示すように、第１のハウジング１１０の第１の本体部１１１の上面開口を閉塞するように取り付けられ、当該第１のハウジング１１０の中蓋をなす板体であって、少なくとも第１の本体部１１１の内部を視認可能な程度の透明度を有している。ここでは、透明部１３０として透明アクリル板を用いる。この透明部１３０は、ステージ１４０上に載置される。これにより、透明部１３０及びステージ１４０が互いに面接触した状態で平行に配置される。
【００４７】
深層検出部２００は、図２に示すように、浅層検出部１００の第１のハウジング１１０の取付部１１２に取り付けられる第２のハウジング２１０と、この第２のハウジング２１０の内部に直立状態で収容される第２の餌材２２０と、第２の餌材２２０が白蟻に食害され、傾く又は落下することにより作動する検出手段２３０と、第１のハウジング１１０の取付部１１２の取付孔１１２ａの上側部に螺合される中蓋２４０と、この中蓋２４０に回転可能に取り付けられた上蓋２５０とを有する。
【００４８】
第２のハウジング２１０は、図２及び図６に示すように、第１のハウジング１１０の第１の本体部１１１よりも背高であり且つ細い有底の円筒体であって、深さ２００〜２２０ｍｍ、直径１２〜３０ｍｍの穴に埋めることができる程度の大きさとなっている。ここでは、第２のハウジング２１０の高さ寸法を２００ｍｍ、直径を１２ｍｍとしている。
【００４９】
この第２のハウジング２１０の外周面には、白蟻を侵入させるための複数の侵入口２１１が１８０°ピッチ間隔で設けられている。また、第２のハウジング２１０の上端には、外側に凸のフランジ部２１２が設けられている。このフランジ部２１２が取付部１１２の円筒部１１２ｂ２に当接することにより、第２のハウジング２１０が取付部１１２に支持される。
【００５０】
中蓋２４０は、図２及び図７に示すように、断面視逆凹字状の円筒体であって、上面が透明な素材( 例えば、透明なアクリル樹脂) で構成されている。この中蓋２４０の上面には、一対の穴部２４１が設けられている。また、中蓋２４０の天井面の中心部には、検出手段２３０のベース部２３１の凸部２３１ｂを収容する凹部２４２が設けられている。更に、中蓋２４０の外周面には、第１のハウジング１１０の取付部１１２の取付孔１１２ａのネジ溝１１２ａ１と螺合するネジ溝２４３と、上蓋２５０を回転可能に取り付けるためのリング状の溝部２４４とが下上に設けられている。
【００５１】
上蓋２５０は、図２及び図７に示すように、中蓋２４０の上端部に被せられる断面視逆凹字状の円筒体であって、上面の中心部に開口部２５１が設けられている。この開口部２５１は、中蓋２４０を通じて検出手段２３０のベース部２３１の凸部２３１ｂの上面を外部から視認可能とするためのものである。
【００５２】
上蓋２５０の上面の開口部２５１の両側には、中蓋２４０の一対の穴部２４１と連通可能な一対の孔部２５２が設けられている。また、上蓋２５０の内周面には、中蓋２４０の溝部２４４に嵌まり込む凸部２５３が設けられている。この凸部２５３が中蓋２４０の溝部２４４に嵌まり込むことにより、上蓋２５０が中蓋２４０の上端部に回転可能に取り付けられる。このように上蓋２５０が中蓋２４０上で回転するようになっているので、後述する治具３００を使用しない限り、中蓋２４０を取付部１１２の取付孔１１２ａから取り外すことができない。これにより、点検者以外の者が当該中蓋２４０を簡単に取り外せないようにしている。
【００５３】
また、上蓋２５０は、図１に示すように、上面に月を示す１〜１２の数字が環状に付された文字盤となっている。このため、上蓋２５０を回転させ、前記数字のいずれかを蓋体１１３の印部１１３ｄに位置合わせしておけば、前回の点検月を点検者が容易に知ることができる。
【００５４】
治具３００は、図１０に示すように、先端部３１０、３１０が二股に分割された板状体である。この治具３００の先端部３１０、３１０は、中蓋２４０の一対の穴部２４１及び上蓋２５０の一対の孔部２５２に挿入可能な形状になっている。即ち、治具３００の先端部３１０、３１０を、互いに連通した状態の中蓋２４０の一対の穴部２４１及び上蓋２５０の一対の孔部２５２に挿入し、当該治具３００を周方向に回転させることにより、中蓋２４０及び上蓋２５０を回転させることができる。これにより中蓋２４０と取付部１１２の取付孔１１２ａとの螺合又は螺合の解除を行うことができる。
【００５５】
第２の餌材２２０は、木材、紙材及び／又は発泡スチロールで構成された略円柱体である。この第２の餌材２２０は、一部が他の部分に比べて脆弱化されており、白蟻の食害により傾倒又は落下し易くなっている。第２の餌材２２０の一部を脆弱化する手段としては、例えば、第２の餌材２２０の一部を他の部分に比べて径を細くしたり、第２の餌材の一部を他の部分と比べて強度の低い素材で構成したりする。前者の場合には、図９( ａ) 、( ｂ）に示すように、第２の餌材２２０の基材として木材や発泡スチロールを使用し、その一部( 下端部や中間部) を削って細くする。後者の場合には、図９( ｃ) 、( ｄ）に示すように、第２の餌材２２０の基材として木材と紙材( ロール紙や段ボール) 又は発泡スチロールとを使用し、その木材の間に紙材( ロール紙や段ボール) 又は発泡スチロールを介在させたり、木材の下端に紙材( ロール紙や段ボール) 又は発泡スチロールを介在させたりする。第２の餌材２２０の一部に紙材を用いる場合には、木材の回りに巻きつけるようにしても良い。なお、木材と紙材又は発泡スチロールとは白蟻が忌避しない木工用の接着剤等で接着されていることが好ましい。
【００５６】
検出手段２３０は、図２、図７及び図８に示すように、ベース部２３１と、移動体２３２と、ベース部２３１と移動体２３２との間に介在する付勢手段２３３とを有する。
【００５７】
ベース部２３１は、第２のハウジング２１０のフランジ部２１２上に載置される断面視逆凹字状の円筒体２３１ａと、この円筒体２３１ａの上面の中心部に設けられた矩形状の凸部２３１ｂとを有する。円筒体２３１ａの凸部２３１ｂの両側部には、移動体２３２のシート部材２３２ｂを通すための一対の開口部２３１ａ１が設けられている。凸部２３１ｂは内部が中空であり、その天井面に下方に向けて凸のネジ穴部２３１ｂ１が設けられている。この凸部２３１ｂは、中蓋２４０の凹部２４２に嵌まり込み、中蓋２４０及び上蓋２５０の開口部２５１を通じて外部から視認可能となる。即ち、凸部２３１ｂの上面が外部から視認可能な露出部となっている。
【００５８】
移動体２３２は、移動体本体２３２ａと、この移動体本体２３２ａに取り付けられるシート部材２３２ｂとを有する。
【００５９】
移動体本体２３２ａは、１段の段差部を有した円筒体であって、内部にネジ部材２３４を通すための挿入孔２３２ａ１が設けられている。即ち、移動体本体２３２ａは、挿入孔２３２ａ１に挿入されたネジ部材２３４により、ベース部２３１のネジ穴部２３１ｂ１に遊びを持って取り付けられる。これにより、移動体本体２３２ａが第２の餌材２２０上に設置される初期位置( 図７( ａ) 及び図８( ａ) 参照) から、ネジ部材２３４のヘッドが挿入孔２３２ａ１の縁部に当接する下方位置( 図７( ａ) 及び図８( ｂ) 参照) にかけて上下動可能となる。
【００６０】
シート部材２３２ｂは、ビニール等からなる帯状のシートであって、一端部が移動体本体２３２ａに熱圧着されている一方、他端部がベース部２３１の一対の開口部２３１ａ１に通され、フリーになっている。このシート部材２３２ｂの中間部の一部には、着色により目印部２３２ｂ１が設けられている。この目印部２３２ｂ１は、移動体本体２３２ａが初期位置に位置したとき、ベース部２３１の凸部２３１ｂの側面上の位置( 即ち、露出部の外側位置) し、移動体本体２３２ａが下方位置に位置したとき、当該ベース部２３１の凸部２３１ｂの上面上( 即ち、露出部上) に位置するように付されている。
【００６１】
付勢手段２３３としてはコイルスプリングを用いる。この付勢手段２３３は、ベース部２３１の凸部２３１ｂの天井面と、移動体２３２の移動体本体２３２ａの挿入孔２３２ａ１の縁部との間に介在する。
【００６２】
このような構成の生物検出装置は、次のように組み立てられる。まず、検出手段２３０の移動体２３２の移動体本体２３２ａにシート部材２３２ｂの一端部を熱圧着する。その後、当該移動体本体２３２ａの挿入孔２３２ａ１の縁部上に付勢手段２３３を設置する。そして、シート部材２３２ｂの他端部をベース部２３１の円筒体２３１ａの一方の開口部２３１ａ１に通す。この状態で、当該移動体本体２３２ａをネジ部材２３４でベース部２３１に取り付ける。これにより、付勢手段２３３がベース部２３１の凸部２３１ｂの天井面と、移動体２３２の移動体本体２３２ａの挿入孔２３２ａ１の縁部との間に介在する。
【００６３】
そして、シート部材２３２ｂの他端部をベース部２３１の円筒体２３１ａの他方の開口部２３１ａ１に通す。これにより、シート部材２３２ｂの中間部の一部がベース部２３１の凸部２３１ｂの上面上に位置する。このようにして検出手段２３０をユニット化する。      
【００６４】
一方、中蓋２４０の上面に上蓋２５０の開放部を押しつける。すると、上蓋２５０の凸部２５３が中蓋２４０の溝部２４４に嵌まり込む。このようにして上蓋２５０を中蓋２４０に取り付ける。
【００６５】
その後、第２のハウジング２１０に第２の餌材２２０を挿入する。そして、当該第２のハウジング２１０を、取付部１１２の取付孔１１２ａに上方から挿入する。すると、第２のハウジング２１０のフランジ部２１２が取付部１１２の円筒部１１２ｂ２に当接する。これにより、第２のハウジング２１０が取付部１１２に支持される。
【００６６】
その後、ユニット化した検出手段２３０を取付部１１２の取付孔１１２ａに上方から挿入する。すると、ベース部２３１の円筒体２３１ａが第２のハウジング２１０のフランジ部２１２上に載置されると共に、移動体本体２３２ａが第２の餌材２２０上に載置される。このとき、シート部材２３２ｂを引っ張り、当該シート部材２３２ｂの目印部２３２ｂ１をベース部２３１の凸部２３１ｂの側面上に位置させる。
【００６７】
その後、上蓋２５０が取り付けられた中蓋２４０を取付部１１２の取付孔１１２ａに挿入し、治具３００の先端部３１０、３１０を上蓋２５０の一対の孔部２５２及び中蓋２４０の一対の穴部２４１に挿入して当該治具３００を周方向に回転させる。これにより中蓋２４０が取付部１１２の取付孔１１２ａに螺合される。このとき、中蓋２４０がベース部２３１を押し下げられ、付勢手段２３３が圧縮される。
【００６８】
そして、第１のハウジング１１０の第１の本体部１１１と、一対の内壁部１１１ｃとの間の空間にプレート１１１ｅを挿入する。その後、第１のハウジング１１０の第１の本体部１１１の仕切板１１１ｄにより仕切られた２つのセクションに一対の第１の餌材１２０を収容する。そして、第１の本体部１１１の２つの一対の内壁部１１１ｃ及び仕切板１１１ｄ上にステージ１４０を載置し、その上に透明部１３０を載置する。これにより透明部１３０が第１の本体部１１１の上面開口を閉塞する。
【００６９】
当該第１の本体部１１１に蓋体１１３を取り付ける( 賓辞結合する) 。この蓋体１１３を閉めて第１の本体部１１１の上面開口を塞ぎ、蓋体１１３の係止爪１１３ｂを取付部１１２の突起部１１２ｂに係止させる。このようにして生物検出装置を組み立てる。なお、第２のハウジング２１０の組み立てと第１のハウジング１１０の組み立ては前後逆になってもかまわない。
【００７０】
このように組み立てられた生物検出装置は、家屋の近傍にスコップ等を用いて、浅層検出部１００の第１のハウジング１１０用の深さ１００〜１２０ｍｍ、直径１４０〜１６０ｍｍの浅くて大きい穴と、深層検出部１００の第２のハウジング２１０用の深さ２００〜２２０ｍｍ、直径１２〜３０ｍｍの深く小さい穴とが連続した穴とを堀り、地中に埋める。
【００７１】
以下、生物検出装置の白蟻の検出方法について詳しく説明する。地中に設置された生物検出装置の近傍の浅い層( 地上から１００ｍｍ前後) にいる白蟻は、第１のハウジング１１０の第１の本体部１１１の第１の開口１１１ｂからプレート１１１ｅを食害しつつ当該第１のハウジング１１０の内部に侵入する。このとき、白蟻が第１のハウジング１１０に侵入する際に、プレート１１１ｅに形成した孔は、当該白蟻が作成する蟻道により塞がれる。
【００７２】
第１の本体部１１１に侵入した白蟻は、第１の餌材１２０を食害しつつ当該第１の餌材１２０よりも強度の低いステージ１４０に到達する、又は第１の餌材１２０のスリット１２１を通ってステージ１４０に到達する。そして、白蟻によりステージ１４０が浸食されると、ステージ１４０は上述した厚みであるので、浸食による全ての痕跡が透明部１３０を通じて視認可能に形成される。このため、家主や管理者が、定期的又は任意に蓋体１１３を開け、透明部１３０を通じてステージ１４０の痕跡又は白蟻を視認によりチェックし、白蟻の存在を確認する。
【００７３】
一方、地中に設置された生物検出装置の近傍の深い層( 地上から２００ｍｍ前後) にいる白蟻は、第２のハウジング２１０の侵入口２１１から内部に侵入する。
【００７４】
第２のハウジング２１０に侵入した白蟻は、第２の餌材２２０を食害する。このとき、第２の餌材２２０の一部が、図９( ａ) 又は( ｂ）に示すように、他の部分よりも細くなっている場合には、白蟻の食害により、第２の餌材２２０がバランスを失って倒れる又は前記一部が食害されることにより落下する。一方、第２の餌材２２０の一部が、図９( ｃ) 又は( ｄ）に示すように、他の部分よりも強度の低い素材で構成されている場合には、白蟻は強度が低い柔らかいものを食害し易いという性質があるので、前記一部が前記他の部分よりも食害され、第２の餌材２２０が倒れる又は落下する。
【００７５】
このように第２の餌材２２０が倒れたり落下したりすると、検出手段２３０の移動体２３２の移動体本体２３２ａが付勢手段２３３の付勢力により初期位置( 図７( ａ) 参照) から下方位置( 図７( ｂ) 参照) にかけて移動する。すると、シート部材２３２ｂの一端部が移動体本体２３２ａに引っ張られ、これにより当該シート部材２３２ｂの目印部２３２ｂ１がベース部２３１の凸部２３１ｂの側面上の位置から、当該ベース部２３１の凸部２３１ｂの上面上( 即ち、露出部上) に位置変位する。これにより、目印部２３２ｂ１が中蓋２４０及び上蓋２５０の開口部２５１を通じて外部から視認可能となる。家主や管理者は目印部２３２ｂ１の有無を定期的又は任意にチェックし、白蟻の存在を確認する。
【００７６】
また、第２のハウジング２１０に侵入した白蟻は、第１のハウジング１１０の取付部１１２の取付孔１１２ａに侵入する場合がある。このため、定期的に上蓋２５０及び中蓋２４０を取り外し、当該取付孔１１２ａ内に蟻道等の白蟻の痕跡が形成されていないかチェックする。
【００７７】
なお、第１のハウジング１１０の第１の本体部１１１に侵入した白蟻は、連通部１１４を通って第２のハウジング２１０に侵入する場合があり、第２のハウジング２１０に侵入した白蟻は、連通部１１４を通って第１の本体部１１１に侵入する場合があるが、侵入した後の行動は上述の通りである。但し、第２のハウジング２１０に侵入した白蟻が第１の本体部１１１に侵入する際には、プレート１１１ｅを浸食する必要がある。また、連通部１１４を通じて第１、第２のハウジング１１０、１２０に侵入する場合も同様である。
【００７８】
家主や管理者が白蟻を発見すると、殺虫剤の散布等の白蟻の駆除処理を行う。
【００７９】
このような生物検出装置による場合、白蟻が第１のハウジング１１０の第１の本体部１１１の第１の開口１１１ｂからプレート１１１ｅを食害しつつ当該第１のハウジング１１０の内部に侵入する。しかも、白蟻が第１のハウジング１１０に侵入する際に、プレート１１１ｅに形成した孔は当該白蟻が作成する蟻道により塞がれる。このため、白蟻以外の虫が第１のハウジング１１０の第１の本体部１１１内に入り込むのを防止することができるので、透明部１３０を通じて視認により他の虫を白蟻と間違って検出するのを防止することができる。しかも、第１の本体部１１１に侵入した白蟻がステージ１４０を食害すると、その全ての痕跡が当該ステージ１４０に透明部１３０を通じて視認可能に形成されるので、白蟻の存在を発見し易くなる。
【００８０】
また、深層検出部２００に備えた検出手段２３０は、白蟻により第２の餌材２２０が食害され、倒れたり落下したりすると、移動体本体２３２ａが移動し、シート部材２３２ｂの目印部２３２ｂ１が中蓋２４０及び上蓋２５０の開口部２５１を通じて外部から視認可能となるようになっている。このような検出手段２３０は、スイッチ手段等と異なり、電力を必要としないで、電池切れ等の点検が不要になるので、メンテナンスが容易になる。
【００８１】
更に、生物検出装置は、幅広で背低い浅層検出部１００の第１のハウジング１１０の第１の本体部１１１と、背高で且つ細い深層検出部２００の第２のハウジング２１０とを組み合わせた形状となっていることから、当該生物検出装置を地中に埋めるに当たり、浅層検出部１００用の浅く大きな穴と、深層検出部２００用の深く小さな穴とを掘れば良い。これらの穴は、浅層及び深層の白蟻を検出するために、大きく且つ背高なハウジングを有する生物検出装置を埋める穴( 即ち、大きく深い穴) を掘る場合と比べて簡単に掘ることができることから、当該生物検出装置は設置し易いという効果を奏する。
【実施例２】
【００８２】
次に、本発明の第２の実施の形態に係る生物検出装置について図面を参照しながら説明する。図１１は本発明の第２の実施の形態に係る生物検出装置の概略的斜視図、図１２は同装置の第１のハウジングの第１の本体部のインナーボックスを示す図であって、( ａ) が第１例を示す図、( ｂ) が第２例を示す図、( ｃ) が第３例を示す図、( ｄ) が第４例を示す図である。
【００８３】
図１１に示す生物検出装置は、第１のハウジング１１０の構成が実施例１の生物検出装置と異なっている。以下、その相違点について詳しく説明し、重複する部分の説明は省略する。
【００８４】
第１のハウジング１１０は、第１の本体部１１１と、取付部１１２と、蓋体１１３と、連通部１１４と、第１の本体部１１１に収容される２つのインナーボックス１１５( 図１２参照) とを有した構成となっている。
【００８５】
第１の本体部１１１は、第１の開口部１１１ｂの代わりに、複数の侵入口１１１ｇが幅方向の両外壁面及び図示右側の側壁部に設けられている以外、実施例１と同じである。侵入口１１１ｇは第１の本体部１１１の内部に白蟻を侵入させるためのものである。
【００８６】
取付部１１２及び蓋体１１３は実施例１と同じである。連通部１１４は、第１の本体部１１１の図示左側の側壁部の下端部に沿って延びた形状となっている点で異なっているが、その他は実施例１と同じである。
【００８７】
インナーボックス１１５は、直方体の一端側の下端部を傾斜させた形状の樹脂製の箱体であって、第１の本体部１１１内部の仕切板１１１ｄにより分割された２つのセクションに各々収容される。このインナーボックス１１５の大きさは、前記セクションに収容された状態で、第１の本体部１１１の内面との間に若干の隙間が生じる程度の大きさとなっている。このインナーボックス１１５には、木片、細かくカットされた紙又は発泡スチロール等の第１の餌材１２０が入れられる。
【００８８】
このインナーボックス１１５の一方の側壁部には、図１２( ａ）及び( ｂ）に示すように、当該インナーボックス１１１５の内部に白蟻を侵入させるためのスリット１１５ａが設けられている。このスリット１１５ａは、図１２( ｃ）及び( ｄ）に示すように、インナーボックス１１５の一方の側壁部の下端に連続する底面の一部にも設けることができる。
【００８９】
更に、インナーボックス１１５の一方の側壁部の内側部には、一対の内壁部１１５ｂが各々設けられている。この一対の内壁部１１５ｂは、図１２( ａ）及び( ｃ）に示すように、インナーボックス１１５の一方の側壁部の全面に対応するように形成しても良いし、図１２( ｂ）及び( ｄ）に示すように、インナーボックス１１５の一方の側壁部の上端面にのみ対応するように形成しても良い。この一対の内壁部１１５ｂと、インナーボックス１１５の一方の側壁部との間の空間に、後述するプレート１１５ｃが収容される。
【００９０】
プレート１１５ｃは、若干大きさが異なる以外プレート１１１ｅと略同じものである。このプレート１１５ｃは、インナーボックス１１５の一方の側壁部と一対の内壁部１１５ｂとの間の空間に収容され、インナーボックス１１５の一方の側壁部のスリット１１５ａ及び一対の内壁部１１５ｂの間の開口を塞ぐことにより、当該インナーボックス１１５の一方の側壁部の一部をなす。
【００９１】
ステージ１４０は、実施例１と同じものであるが、インナーボックス１１５の上面開口を塞ぐように設置される点で異なっている。
【００９２】
このような生物検出装置による場合であっても、白蟻が第１のハウジング１１０の第１の本体部１１１の侵入口１１１ｇから侵入し、インナーボックス１１５のスリット１１５ａから露出するプレート１１５ｃを食害しつつ当該インナーボックス１１５の内部に侵入する。しかも、白蟻がインナーボックス１１５に侵入する際に、プレート１１５ｃに形成した孔は当該白蟻が作成する蟻道により塞がれる。このため、白蟻以外の虫が第１のハウジング１１０のインナーボックス１１５内に入り込むのを防止することができるので、透明部１３０を通じて視認により他の虫を白蟻と間違って検出するのを防止することができる。しかも、インナーボックス１１５に侵入した白蟻がステージ１４０を食害すると、その全ての痕跡が当該ステージ１４０に透明部１３０を通じて視認可能に形成されるので、白蟻の存在を発見し易くなる。
【００９３】
また、インナーボックス１１５と、第１の本体部１１１の内面との間に若干の隙間を設けたことにより、インナーボックス１１５内の第１の餌材１２０が地中の土の湿気や気温の寒暖の差により発生する結露の影響を受け難くなっている。このため、第１の餌材１２０の劣化を低減することが可能になる。更に、インナーボックス１１５を引き抜くだけで、第１の餌材１２０を交換することができることから、第１の餌材１２０の交換が容易になるというメリットもある。
【００９４】
なお、第１のハウジングについては、外部から内部を視認可能とするための透明部を有し且つ少なくとも一部が対象生物に浸食可能な素材で構成されていれば良い。換言すると、第１のハウジング全体を浸食可能な素材で構成するようにしても良い。浸食可能な素材としては、発泡スチロールを例に上げたが、木材、紙材、その他の白蟻の餌材を用いることもできるし、餌材以外のものを用いることもできる。
【００９５】
また、第１のハウジングの外壁面には、白蟻が嫌う紫外線が地中に入射しないようにするためのフランジを設けることができる。このフランジには紫外線を反射する塗料など紫外線防止剤を塗布することが好ましい。同様に蓋体１１３に前記紫外線防止剤を塗布するようにしても良い。
【００９６】
透明部１３０については、ステージ１４０と一体的に構成することも可能である。この場合、透明部１３０及びステージ１４０を白蟻が食害可能な透明の樹脂等で構成する。
【００９７】
ステージについては、設けるか否かは任意である。このステージの厚さ寸法は、対象生物の体高に０．５〜５ｍｍを加算した寸法であることが好ましいが、これに限定されるものではない。また、ステージとプレートとは一体的に構成することができる。
【００９８】
第１の餌材１２０については、上述した木材、紙材又は発泡スチロールに限定されることなく、対象生物が忌避しない素材であればどのようなものを用いても良い。また、その形状も任意である。スリット１２１は、第１の餌材１２０に高さ方向に向けて入れられていれば良く、当該第１の餌材１２０を高さ方向に貫通する貫通孔等も含むものとする。
【００９９】
取付部１１２については、設けるか否かは任意である。深層検出部２００についても同様である。
【０１００】
インナーボックス１１５の形状については、図１２に図示した形状に限定されるものではなく、第１の本体部１１１に収容され得るものであれば良い。即ち、インナーボックス１１５は対象生物が侵入可能であり且つ餌材を収容する箱体とすることもできる。この場合、実施例１の如く第１の本体部１１１の一部を対象生物が浸食可能な素材で構成し、対象生物以外の生物がインナーボックス１１５内に侵入するのを防止するようにする。また、インナーボックス１１５の一部又は全部を対象生物が浸食可能な素材で構成することができ、上記実施例に限定されないことはいう迄もない。
【０１０１】
第２のハウジング２１０については、侵入口２１１の代わりに少なくとも一部を上述した対象生物に浸食可能な素材で構成するようにしても良い。
【０１０２】
また、第２のハウジング２１０には、第２の餌材２２０を収容していることが望ましいが、これに限定されるものではない。即ち、第２のハウジング２１０を第１のハウジング１１０への白蟻の単なる誘導路とすることも可能である。
【０１０３】
また、検出手段２３０を設けるか否かは任意である。この場合、上述したように取付部１１２の取付孔１１２ａ内に蟻道等の白蟻の痕跡がないか人為的にチェックするようにすれば良い。
【０１０４】
この検出手段２３０については、上記実施例に限定されるものではなく、移動体が餌材の傾き又は落下により移動し、これにより目印部がハウジング外部から視認可能であればどのように設計変更してもかまわない。
【０１０５】
移動体の自重により、シート部材上の目印部が位置変位可能である場合には、付勢手段２３３を設けなくても良い。目印部はシート部材に付する形態に限定されるものでなく、移動体自体に付することも可能である。また、目印部は着色によるものだけでなく、移動体に設けた突起物等によっても代用可能である。
【０１０６】
第２の餌材２２０については、上述した木材、紙材又は発泡スチロールに限定されることなく、対象生物が忌避しない素材であればどのようなものを用いても良い。その形状については、第２のハウジング２１０に収容し得るものである限り、任意である。第２の餌材２２０の一部は、他の部分よりも脆弱化されていることが好ましいが、これに限定されるものではない。脆弱化の手法も、上記実施例に限定されるものでない。
【０１０７】
なお、上記実施例では、対象生物は白蟻であるとして説明したが、クロアリ等の蟻や土中生物などその他の対象生物を検出する装置としても適応可能であることはいう迄もない。
【図面の簡単な説明】
【０１０８】
【図１】本発明の第１の実施の形態に係る生物検出装置の概略的斜視図である。
【図２】同装置の概略的断面図である。
【図３】同装置の浅層検出部の第１のハウジングの第１の本体部を示す概略図であって、( ａ) が平面図、( ｂ）が縦断面図である。
【図４】同装置の浅層検出部の第１のハウジングの蓋体を示す概略図であって、( ａ) が底面図、( ｂ）が縦断面図である。
【図５】同装置の浅層検出部の第１の餌材の概略的斜視図である。
【図６】同装置の深層検出部の第２のハウジングを示す概略図であって、( ａ) が側面図、( ｂ）が縦断面図である。
【図７】図２のα部分の取付部を取り除いた模式的拡大図であって、( ａ) が検出手段の移動体の移動体本体が初期位置に位置した状態を示す図、( ｂ）が検出手段の移動体の移動体本体が下方位置に位置した状態を示す図である。
【図８】、同装置の検出手段の概略的斜視図であって、( ａ) が検出手段の移動体の移動体本体が初期位置に位置した状態を示す図、( ｂ）が検出手段の移動体の移動体本体が下方位置に位置した状態を示す図である。
【図９】同装置の深層検出部の第２の餌材を示す模式的側面図であって、( ａ) が中間部を細くした例を示す図、( ｂ）が下端部を先鋭化した例を示す図、( ｃ) が木材の間に紙材又は発泡スチロールを介在させた例を示す図、( ｄ）が木材の下に紙材又は発泡スチロールを介在させた例を示す図である。
【図１０】同装置の深層検出部の中蓋を取り外すための治具を示す図であって、( ａ) が正面図、( ｂ) が側面図である。
【図１１】本発明の第２の実施の形態に係る生物検出装置の概略的斜視図である。
【図１２】同装置の第１のハウジングの第１の本体部のインナーボックスを示す図であって、( ａ) が第１例を示す図、( ｂ) が第２例を示す図、( ｃ) が第３例を示す図、( ｄ) が第４例を示す図である。
【符号の説明】
【０１０９】
１００    浅層検出部
１１０    第１のハウジング
１１１ｂ  第１の開口部
１１１ｅ  プレート
１１３    蓋体
１２０    第１の餌材
１３０    透明部
１４０    ステージ
２００    深層検出部
２１０    第２のハウジング
２２０    第２の餌材
２３０    検出手段
【図１】
2007244243.tif 000003
【図２】
2007244243.tif 000004
【図３】
2007244243.tif 000005
【図４】
2007244243.tif 000006
【図５】
2007244243.tif 000007
【図６】
2007244243.tif 000008
【図７】
2007244243.tif 000009
【図８】
2007244243.tif 000010
【図９】
2007244243.tif 000011
【図１０】
2007244243.tif 000012
【図１１】
2007244243.tif 000013
【図１２】
2007244243.tif 000014
【手続補正書】
【提出日】平成18年7月10日(2006.7.10)
【手続補正１】
【補正対象書類名】特許請求の範囲
【補正対象項目名】全文
【補正方法】変更
【補正の内容】
【特許請求の範囲】
【請求項１】
外部から対象生物を視認可能とするために、第１のハウジングに透明部が設けられており且つ当該第１のハウジングの少なくとも一部が対象生物により浸食可能な素材で構成された生物検出装置において、
対象生物により浸食可能な素材で構成された板状体であり且つ前記第１のハウジング内の前記透明部を通じて外部から視認可能な位置に当該透明部に対して略平行に配置されるステージと、前記第１のハウジング内に収容された第１の餌材とを有しており、前記ステージは前記第１の餌材よりも柔らかい素材で構成されていることを特徴とする生物検出装置。
【請求項２】
請求項１記載の生物検出装置において、前記第１の餌材には、前記ステージに向けてスリットが設けられていることを特徴とする生物検出装置。
【請求項３】
請求項１記載の生物検出装置において、前記透明部と前記ステージとが一体化されていることを特徴とする生物検出装置。
【請求項４】
請求項１記載の生物検出装置において、前記透明部を覆う蓋体を有することを特徴とする生物検出装置。
【請求項５】
地中に埋設される請求項１記載の生物検出装置において、前記第１のハウジングには、内部同士が連通する第２のハウジングが設けられており、この第２のハウジングは、前記第１のハウジングよりも背高であり且つ細い筒状体であって、その外面に対象生物を侵入させるための侵入口が設けられていることを特徴とする生物検出装置。
【請求項６】
地中に埋設される請求項１記載の生物検出装置において、前記第１のハウジングには、内部同士が連通する第２のハウジングが設けられており、この第２のハウジングは、前記第１のハウジングよりも背高であり且つ細い筒状体であって、少なくとも一部が対象生物により浸食可能な素材で構成されていることを特徴とする生物検出装置。
【請求項７】
請求項５又は６記載の生物検出装置において、前記第２のハウジングには、柱状又は筒状の第２の餌材が収容されるようになっていることを特徴とする生物検出装置。
【請求項８】
請求項７記載の生物検出装置において、前記第２のハウジングには、対象生物を検出するための検出手段が設けられており、
この検出手段は、前記第２のハウジングの透明部又は開口部を通じて外部から視認可能とされた露出部を有したベース部と、このベース部に設けられており且つ前記第２の餌材上に設置された初期位置から当該第２の餌材の傾き又は落下により下方位置にかけて移動可能な移動体とを有し、
この移動体には、当該移動体が初期位置から下方位置にかけて移動することにより、前記ベース部の露出部の外側位置から当該ベース部の露出部上に位置変位する目印部が設けられていることを特徴とする生物検出装置。
【請求項９】
請求項８記載の生物検出装置において、前記検出手段は、前記ベース部と前記移動体との間に介在する付勢手段を有し、この付勢手段は、前記移動体が前記第２の餌材上に設置されることにより圧縮され、当該移動体を下方向に向けて付勢するようになっていることを特徴とする生物検出装置。
【請求項１０】
請求項８又は９記載の生物検出装置において、第２の餌材は、対象生物の食害により傾く又は落下し易くするために、一部が他の部分より脆弱化されていることを特徴とする生物検出装置。
【請求項１１】
請求項１記載の生物検出装置において、前記第１のハウジングは、侵入口が設けられた第１の本体部と、少なくとも一部が対象生物により浸食可能な素材で構成されており且つ前記第１の餌材が収容されるインナーボックスとを有しており、前記インナーボックスが、前記第１の本体部の内面との間に隙間を有して収容されるようになっていることを特徴とする生物検出装置。
【請求項１２】
請求項１、６又は１１記載の生物検出装置において、対象生物により浸食可能な素材は対象生物の餌材であることを特徴とする生物検出装置。
【手続補正２】
【補正対象書類名】明細書
【補正対象項目名】０００６
【補正方法】変更
【補正の内容】
【０００６】
上記課題を解決するために、本発明の生物検出装置は、外部から対象生物を視認可能とするために、第１のハウジングに透明部が設けられており且つ当該第１のハウジングの少なくとも一部が対象生物により浸食可能な素材で構成された生物検出装置であって、対象生物により浸食可能な素材で構成された板状体であり且つ前記第１のハウジング内の前記透明部を通じて外部から視認可能な位置に当該透明部に対して略平行に配置されるステージと、前記第１のハウジング内に収容された第１の餌材とを有しており、前記ステージは前記第１の餌材よりも柔らかい素材で構成されている。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】００１９
【補正方法】変更
【補正の内容】
【００１９】
本発明の請求項１に係る生物検出装置による場合、第１のハウジングの少なくとも一部が、対象生物により浸食可能な素材で構成されている。このため、対象生物は前記第１のハウジングの浸食可能な素材で構成された部分を浸食し、当該第１のハウジングの内部に侵入する。一方、対象生物等の虫は、前記第１のハウジングに侵入する侵入路がないので、従来例と比べて前記第１のハウジング内部に侵入し難くなる。特に、対象生物が白蟻である場合、第１のハウジングの一部を浸食することにより形成された孔は蟻土で塞がれるので、この特性を生かし、更に他の虫を侵入し難くすることができる。このため、前記第１のハウジングの内に侵入した他の虫を対象生物と誤って誤検出するのを防止することができ、且つ対象生物が視認により発見し易くなる。しかも、対象生物により浸食可能な素材で構成された板状体であるステージが、且つ前記第１のハウジング内の前記透明部を通じて外部から視認可能な位置に当該透明部に対して略平行に配置されており、このステージが第１の餌材よりも柔らかい素材で構成されている。このため、第１の餌材により前記第１のハウジング内に慰留された対象生物が当該ステージを浸食し易くなる。即ち、ステージが浸食される可能性が高くなるので、対象生物を発見し易くなる。
【手続補正６】
【補正対象書類名】明細書
【補正対象項目名】００２０
【補正方法】変更
【補正の内容】
【００２０】
本発明の請求項２に係る生物検出装置による場合、第１の餌材にはステージに向けてスリットが設けられている。このため、第１の餌材により前記第１のハウジング内に慰留された対象生物が、前記スリットを通って前記ステージに容易に到達することが可能になる。即ち、ステージが浸食される可能性が高くなるので、更に対象生物を発見し易くなる。
【手続補正７】
【補正対象書類名】明細書
【補正対象項目名】００２１
【補正方法】変更
【補正の内容】
【００２１】
本発明の請求項３に係る生物検出装置による場合、前記透明部と前記ステージとが一体化されているので、部品点数を低減することができ、低コスト化を図ることができる。
【手続補正８】
【補正対象書類名】明細書
【補正対象項目名】００２２
【補正方法】変更
【補正の内容】
【００２２】
本発明の請求項４に係る生物検出装置による場合、透明部を覆う蓋体を有しているので、透明部が使用者に踏まれて割れたり、汚れたりするのを防止することができる。
【手続補正９】
【補正対象書類名】明細書
【補正対象項目名】００２３
【補正方法】変更
【補正の内容】
【００２３】
本発明の請求項５及び６に係る生物検出装置による場合、前記第１のハウジングには、内部同士が連通する第２のハウジングが設けられている。この第２のハウジングは、前記第１のハウジングよりも背高であり且つ細い筒状体である。このため、当該生物検出装置を地中に埋めるに当たっては、第１のハウジング用の浅く大きな穴を開ける一方、第２のハウジング用の深く小さな穴を開けるようにすれば良いことから、浅層及び深層の対象生物を検出するために大きく且つ背高なハウジングを有する生物検出装置を埋める穴( 即ち、大きく深い穴) を掘る場合と比べて簡単に掘ることができる。よって、当該生物検出装置は設置し易いという効果を奏する。
【手続補正１０】
【補正対象書類名】明細書
【補正対象項目名】００２４
【補正方法】変更
【補正の内容】
【００２４】
本発明の請求項７に係る生物検出装置による場合、第２のハウジングには、柱状又は筒状の第２の餌材が収容される。このため、深層の対象生物を慰留し易くなる。
【手続補正１１】
【補正対象書類名】明細書
【補正対象項目名】００２５
【補正方法】変更
【補正の内容】
【００２５】
本発明の請求項８に係る生物検出装置による場合、検出手段の移動体が、餌材の傾き又は落下により初期位置から下方位置にかけて移動することにより、当該移動体に設けられた目印部がベース部の露出部の外側位置から当該ベース部の露出部上に位置変位するようになっている。このため、点検者が第２のハウジングの外部からベース部の露出部上のシート部材の目印部を当該第２のハウジングの透明部又は開口部を通じて視認することにより、対象生物を容易に検出することができる。このように前記検出手段は、電力を必要としない構成となっているので、電力が必要なスイッチ手段等と比べてメンテナンスが容易であるという効果を奏する。
【手続補正１２】
【補正対象書類名】明細書
【補正対象項目名】００２６
【補正方法】変更
【補正の内容】
【００２６】
本発明の請求項９に係る生物検出装置による場合、対象生物に食されることにより第２の餌材が傾く又は落下すると、移動体が付勢手段の付勢力により下方向に移動することになる。このため、移動体を移動させ易くすることができるので、対象生物の検出精度を向上させることができ、初期段階で対象生物を発見することができる。
【手続補正１３】
【補正対象書類名】明細書
【補正対象項目名】００２７
【補正方法】変更
【補正の内容】
【００２７】
本発明の請求項１０に係る生物検出装置による場合、第２の餌材の一部が他の部分よりも脆弱化されているので、当該第２の餌材が対象生物の食害により倒れたり落下したりし易くなる。即ち、検出手段が作動し易くなるので、対象生物の検出精度を向上させることができ、初期段階で対象生物を発見することができる。
【手続補正１４】
【補正対象書類名】明細書
【補正対象項目名】００２８
【補正方法】変更
【補正の内容】
【００２８】
本発明の請求項１１に係る生物検出装置による場合、前記第１のハウジングのが、侵入口が設けられた第１の本体部と、少なくとも一部が対象生物により浸食可能な素材で構成されており且つ第１の餌材が収容されるインナーボックスとを有しており、前記インナーボックスが、前記第１の本体部の内面との間に隙間を有して収容されるようになっている。このため、インナーボックス内の第１の餌材が地中の土の湿気や気温の寒暖の差により発生する結露の影響を受け難くすることができるので、当該第１の餌材の劣化を低減することが可能になる。また、インナーボックスを引き抜くだけで、第１の餌材を交換することができることから、第１の餌材の交換が容易になるとうメリットも奏する。
【手続補正１５】
【補正対象書類名】明細書
【補正対象項目名】００２９
【補正方法】変更
【補正の内容】
【００２９】
本発明の請求項１２に係る生物検出装置による場合、対象生物により浸食可能な素材が対象生物の餌材となっているので、対象生物を慰留し易くなる。
【手続補正１６】
【補正対象書類名】明細書
【補正対象項目名】００３０
【補正方法】削除
【補正の内容】
【手続補正１７】
【補正対象書類名】明細書
【補正対象項目名】００８７
【補正方法】変更
【補正の内容】
【００８７】
このインナーボックス１１５の一方の側壁部には、図１２( ａ）及び( ｂ）に示すように、当該インナーボックス１１５の内部に白蟻を侵入させるためのスリット１１５ａが設けられている。このスリット１１５ａは、図１２( ｃ）及び( ｄ）に示すように、インナーボックス１１５の一方の側壁部の下端に連続する底面の一部にも設けることができる。